(57)【特許請求の範囲】
【請求項１】
基材上の少なくとも一部に、印刷画像を備え、
前記印刷画像は、前記基材と異なる色で形成される合成画像群の上に、透明又は半透明で盛り上がりを有する凸画線群が積層されて成り、
前記合成画像群は、特定のピッチで第一の方向に配置されて成る第一の画線を複数有し、前記第一の画線の一部の位相が異なることによって、第一の有意情報を構成する第一のカモフラージュ画線群と第一の潜像画線群に区分けされて成る第一の画像と、前記ピッチで前記第一の方向に配置されて成る第二の画線を複数有し、前記第二の画線の一部の位相が異なることによって、第二の有意情報を構成する第二の潜像画線群と第二のカモフラージュ画線群に区分けされて成る第二の画像から成り、
前記第一のカモフラージュ画線群を構成する前記第一の画線と、前記第二の潜像画線群を構成する前記第二の画線は、重なり合うことなく規則的に交互に配置され、かつ、前記第一の潜像画線群を構成する前記第一の画線と、前記第二のカモフラージュ画線群を構成する前記第二の画線は、重なり合うことなく規則的に交互に配置され、
前記凸画線群は、前記ピッチで前記第一の方向に形成された複数の凸画線から成り、
前記第一のカモフラージュ画線群を構成する前記第一の画線及び前記第二のカモフラージュ画線群を構成する前記第二の画線は、前記凸画線と重なり合い、前記第一の潜像画線群を構成する前記第一の画線は、前記凸画線と前記凸画線間の非画線部に跨るように前記凸画線と一部が重なり合い、前記第二の潜像画線群を構成する前記第二の画線は、前記凸画線と前記非画線部に跨るように前記凸画線と一部が重なり合って形成されることにより、
可視光下において、正対して観察した際に前記合成画像群が視認され、傾けて前記第一の方向から観察した際に、前記第一の有意情報又は前記第二の有意情報のどちらか一方が視認され、前記第一の方向と逆方向から観察した際に他方が視認されることを特徴とする潜像印刷物。
【請求項２】
所定の範囲内における前記第一のカモフラージュ画線群、前記第一の潜像画線群、前記第二の潜像画線群及び前記第二のカモフラージュ画線群の合計の面積率は、同じ面積率であることを特徴とする請求項１記載の潜像印刷物。
【請求項３】
前記第一の潜像画線群と前記第一のカモフラージュ画線群は同じ色彩、かつ、前記第二の潜像画線群と前記第二のカモフラージュ画線群は同じ色彩であることを特徴とする請求項１又は２記載の潜像印刷物。
【請求項４】
前記第一の画線及び前記第二の画線の位相の異なりは、前記第一のピッチの４分の１ピッチであることを特徴とする請求項１乃至３のいずれか一項に記載の潜像印刷物。
【請求項５】
前記凸画線と前記第一の潜像画線群を構成する前記第一の画線、前記凸画線と前記第二の潜像画線群を構成する前記第二の画線は、前記凸画線の画線幅の３分の１の幅で重なり合って成ることを特徴とする請求項１乃至４のいずれか一項に記載の潜像印刷物。
【発明の詳細な説明】
【技術分野】
【０００１】
本発明は、偽造防止効果を必要とするセキュリティ印刷物である銀行券、パスポート、有価証券、身分証明書、カード、通行券等の貴重印刷物の分野において、印刷物を深く傾けて観察することで潜像画像が出現する潜像印刷物に関する。
【背景技術】
【０００２】
近年のスキャナ、プリンター、カラーコピー機等のデジタル機器の進展により、貴重印刷物の精巧な複製物を容易に作製することが可能となっている。そのため、前述したような複製や偽造を防止するため、プリンターやコピー機では再現不可能な様々な偽造防止技術が必要とされている。また、その偽造防止技術は特別な道具を必要とすることなく、万人が容易に真偽判別できる技術であることが望まれる。
【０００３】
それらの真偽判別可能な技術のひとつに、基材や画線の凹凸を利用して形成する潜像模様がある。これは、印刷物に正対して観察した場合には潜像画像が視認されず、印刷物を深く傾けることで潜像画像が出現する効果を有している。このような基材や画線の立体構造を利用して形成する真偽判別可能な技術はカラーコピーやプリンターを用いた偽造が不可能であることから、高い偽造抵抗力を備える。
【０００４】
本出願人はすでに、部分的に角度を異にすることによって図柄を表した各種万線模様、レリーフ模様、又は双方の模様のいずれかのエンボスによって形成された凹凸形状を有する素材に、素材の色及び無色透明以外の異なった他の色のインキによって、一定な間隔を持つ各種万線画線、網点画線、又は双方の画線のいずれかを凹凸形状の図柄以外の部分を構成する部分に対して平行又は傾斜を持たせて印刷することによって、正面から観察した場合には、各種万線画線、網点画線、又は双方の画線のいずれかのみが確認でき、斜めの方向から観察した場合には、凹凸形状と印刷画線との間に生じる一定でない位置関係によって、凹凸形状によって形成された図柄が容易に確認でき、逆の斜めの方向から観察すると、図柄の明暗が反転して確認できることを特徴とする潜像模様形成体を出願している（特許文献１参照）。
【０００５】
本出願人はすでに、被印刷体上に被印刷体の表面色と異なる有色インキで各種万線をオフセット印刷した上に、透明凹版インキで各種万線を基本万線として、基本万線を特定の文字や図柄に対応して、二次元的にずらして得られる各種万線レリーフ画像をオフセット印刷した各種万線と平行に重なり合うように凹版印刷してなる偽造防止印刷物で、印刷物を垂直方向から観察するとオフセット印刷した各種万線が確認でき、印刷物を傾けて観察すると各種万線レリーフ画像が観察できることを特徴とする偽造防止印刷物を出願している（特許文献２参照）。
【先行技術文献】
【特許文献】
【０００６】
【特許文献１】特許第２６１５４０１号公報
【特許文献２】特許第３６８６９５３号公報
【発明の概要】
【発明が解決しようとする課題】
【０００７】
特許文献１及び特許文献２に記載の技術は、基材表面に印刷した画線の上に盛り上がりのある画線を重ね合わせて形成する構成や、盛り上がりのある構造の上に画線を重ね合わせて形成する構成であって、いずれも印刷物を傾けて観察することで潜像画像が視認できる効果を有する技術である。これらの技術の特徴の一つに、傾けることで視認できる潜像画像が、ある方向から観察した場合にはポジ画像であり、逆方向から観察した場合にはネガ画像となる、いわゆる画像のネガポジ反転効果がある。観察方向を変えることによって生じるネガポジ反転効果は、基材や画線の三次元構造を利用しない場合には容易には再現できない効果であり、一定の偽造抵抗力を担保できる効果の一つであると言える。
【０００８】
ただし、図２４に示すように、特許文献１及び特許文献２に記載の技術においては、技術の特徴上、画像がネガで見える視点と、画像がポジで見える視点は角度的に１００°以上離れている。そのため、潜像画像がポジ（あるいはネガ）で見える視点からネガ（あるいはポジ）で見える視点まで観察角度を変化させていくうちに、出現していた潜像画像自体が一旦消失して不可視になり、観察者の視野の中から消えてしまう。
【０００９】
すなわち、ネガで見えていた潜像画像の観察角度から、観察角度を変えていくことで、一旦ネガで見えていた潜像画像が消失し、潜像画像自体が全く観察できない大きな角度領域を挟んで、特定の角度以上に達してはじめてポジで見える潜像画像が改めて出現する。ネガポジ反転効果は、潜像画像の濃い部分と淡い部分が完全に入れ替わる比較的変化の大きい効果であるが、その効果が連続した変化として捉えられない場合には、人間の印象には残りづらい傾向にある。
【００１０】
このため、それまで見えていたネガかポジである潜像画像が一旦消失してしまうと、観察角度を変えてネガポジ反転して再び現れた潜像画像を見たとしても、観察者は潜像画像が再び出現した現象には注意を引かれるものの、その潜像画像にネガポジ反転効果が生じたことには気付かない場合が多い。
【００１１】
また、レンチキュラーを用いた印刷物の場合、基材に透明性が必要であり、紙には形成できない等、基材における制約が多かった。更に、レンチキュラーは、レンズ効果を利用して画像を拡大させるものであり、焦点距離を合わすためにレンズと画像との間に一定の距離が必要であって、その厚みは１００μｍを超え、一般的に流通する印刷物としては適さなかった。
【００１２】
以上のように、特許文献１及び特許文献２に記載の技術によって実現されるネガポジ反転効果、すなわち、連続した変化として捉えられない状況でのネガポジ反転効果は、観察者に与えるインパクトが小さく、その効果が生じることを観察者が知っているか、あるいは特に注意して観察していなければ、その効果に気がつかない場合があり、真偽判別機能としてはやや弱いという問題があった。そこで、観察者に与えるインパクトが強い、潜像画像の表す有意情報自体が変化する、いわゆる画像のチェンジ効果が求められていた。
【課題を解決するための手段】
【００１３】
本発明における潜像印刷物は、基材上の少なくとも一部に、印刷画像を備え、印刷画像は、基材と異なる色で形成される合成画像群の上に、透明又は半透明で盛り上がりを有する凸画線群が積層されて成り、合成画像群は、特定のピッチで第一の方向に配置されて成る第一の画線を複数有し、第一の画線の一部の位相が異なることによって、第一の有意情報を構成する第一のカモフラージュ画線群と第一の潜像画線群に区分けされて成る第一の画像と、特定のピッチで第一の方向に配置されて成る第二の画線を複数有し、第二の画線の一部の位相が異なることによって、第二の有意情報を構成する第二の潜像画線群と第二のカモフラージュ画線群に区分けされて成る第二の画像から成り、第一のカモフラージュ画線群を構成する第一の画線と、第二の潜像画線群を構成する第二の画線は、重なり合うことなく規則的に交互に配置され、かつ、第一の潜像画線群を構成する第一の画線と、第二のカモフラージュ画線群を構成する第二の画線は、重なり合うことなく規則的に交互に配置され、凸画線群は、特定のピッチで第一の方向に形成された複数の凸画線から成り、第一の画線及び第二の画線は、凸画線と重なって形成されることにより、可視光下において、正対して観察した際に合成画像群が視認され、潜像印刷物を傾けて第一の方向から観察した際に、第一の有意情報又は第二の有意情報のどちらか一方が視認され、第一の方向と逆方向から観察した際に他方が視認されることを特徴とする。
【００１４】
本発明における潜像印刷物は、第一のカモフラージュ画線群を構成する第一の画線及び第二のカモフラージュ画線群を構成する第二の画線は、凸画線と重なり合い、第一の潜像画線群を構成する第一の画線は、凸画線と凸画線間の非画線部に跨るように凸画線と一部が重なり合い、第二の潜像画線群を構成する第二の画線は、凸画線と非画線部に跨るように凸画線と一部が重なり合って形成されることを特徴とする。
【００１５】
本発明における潜像印刷物は、所定の範囲内における第一のカモフラージュ画線群、第一の潜像画線群、第二の潜像画線群及び第二のカモフラージュ画線群の合計の面積率は、同じ面積率であることを特徴とする。
【００１６】
本発明における潜像印刷物は、第一の潜像画線群と第一のカモフラージュ画線群は同じ色彩、かつ、第二の潜像画線群と第二のカモフラージュ画線群は同じ色彩であることを特徴とする。
【００１７】
本発明における潜像印刷物は、第一の画線及び第二の画線の位相の異なりは、第一のピッチの４分の１ピッチであることを特徴とする。
【００１８】
本発明における潜像印刷物は、凸画線と第一の潜像画線群を構成する第一の画線、凸画線と第二の潜像画線群を構成する第二の画線は、凸画線の画線幅の３分の１の幅で重なり合って成ることを特徴とする。
【発明の効果】
【００１９】
本発明の潜像印刷物は、正対した状態で不可視であった潜像画像が、深く傾けた状態で出現する技術であって、第一の方向から観察した場合には第一の有意情報を表した第一の潜像画像が視認され、第一の方向の反対の第二の方向から観察した場合には、第二の有意情報を表した第二の潜像画像が視認される。潜像画像の表す有意情報自体が変化する、いわゆる画像のチェンジ効果は、観察者に与えるインパクトが強く、従来の技術のネガポジ反転効果と比較して、その変化が劇的であるゆえに認証性に優れ、偽造も困難である。
【００２０】
レンチキュラーを利用した場合と異なり、基材の制限がなく、厚みも薄く形成可能であるため、一般的に流通する印刷物として適している。
【図面の簡単な説明】
【００２１】
【図１】本発明の実施の形態における潜像印刷物を示す図である。
【図２】本発明の実施の形態における潜像印刷物の構造を示す図である。
【図３】本発明の実施の形態における第一の画像を示す図である。
【図４】本発明の実施の形態における第二の画像を示す図である。
【図５】本発明の実施の形態における有色画像群を示す図である。
【図６】本発明の実施の形態における凸画線群を示す図である。
【図７】本発明の実施の形態における有色画像群と凸画線群の重なりを示す図である。
【図８】本発明の実施の形態における各要素の適正な位置関係を示す図である。
【図９】本発明の実施の形態において潜像印刷物を正対して観察した場合の効果を示す図である。
【図１０】本発明の実施の形態において潜像印刷物を深く傾けて第一の方向から観察した場合の効果の説明図である。
【図１１】本発明の実施の形態において潜像印刷物を深く傾けて第二の方向から観察した場合の効果の説明図である。
【図１２】本発明の実施の形態における潜像印刷物の効果発現の原理を示す図である。
【図１３】本発明の実施の形態における効果を示す図である。
【図１４】本発明の潜像印刷物の第一の潜像画線及び第二の潜像画線を付与する適切な範囲を示す。
【図１５】本発明の一実施例における潜像印刷物を示す図である。
【図１６】本発明の一実施例における潜像印刷物の構造を示す図である。
【図１７】本発明の一実施例における有色画像群を示す図である。
【図１８】本発明の一実施例における第一の画像を示す図である。
【図１９】本発明の一実施例における第二の画像を示す図である。
【図２０】本発明の一実施例における凸画線群を示す図である。
【図２１】本発明の一実施例における有色画像群と凸画線群の重なりを示す図である。
【図２２】本発明の一実施例における各要素の位置関係を示す図である。
【図２３】本発明の一実施例における効果を示す図である。
【図２４】従来の技術の問題点を示す図である。
【発明を実施するための形態】
【００２２】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２３】
図１は、本発明の潜像印刷物（１）を示す図であり、基材（２）上に印刷画像（３）を備えて成る。基材（２）は、上質紙、コート紙、フィルム、金属等、表面に画像を形成できる材質であれば、如何なる材料を用いても良い。また、基材（２）の色彩についても制限はなく、透明や不透明であっても問題なく、加えて、大きさについても特に制限はない。また、印刷画像（３）は基材（２）と異なる色彩を有していれば、透明以外の如何なる色彩であってもよい。
【００２４】
図２に、印刷画像（３）の構造の基本的な概念図を示す。印刷画像（３）は、合成画像群（４）と凸画線群（５）とが積層されて成る。合成画像群（４）と凸画線群（５）の積層順については、合成画像群（４）の上に凸画線群（５）が重なる積層順でなければならない。この積層順でなければならない理由については、後述する視認原理で詳細に説明する。
【００２５】
合成画像群（４）は、目視上、濃淡のない一様な階調で形成されて成り、第一の画像（６）と第二の画像（７）を有している。第一の画像（６）と、第二の画像（７）とは、ともに濃淡のない一様な階調で形成されて成る。
【００２６】
第一の画像（６）は、第一の有意情報を表した第一の潜像画線群（９）と、第一の潜像画線群（９）と対を成し、第一の潜像画線群（９）のネガポジを反転させた構成の第一のカモフラージュ画線群（８）とを有する。本実施の形態における第一の潜像画線群（９）が表す第一の有意情報はアルファベットの「ＪＰＮ」の文字であり、第一の潜像画線群（９）は、ネガの状態で表して成る。第一の潜像画線群（９）は、傾けた場合に観察者が視認する潜像画像となる画像であり、第一のカモフラージュ画線群（８）は、正対した場合に第一の潜像画線群（９）が可視化されるのを防ぎ、かつ、第一の潜像画線群（９）を合成画像群（４）の中に隠蔽する働きを成す。
【００２７】
第二の画像（７）は、第二の有意情報を表した第二の潜像画線群（１０）と、第二の潜像画線群（１０）と対を成し、第二の潜像画線群（１０）のネガポジを反転させた構成の第二のカモフラージュ画線群（１１）とを有する。本実施の形態における第二の潜像画線群（１０）が表す第二の有意情報は「桜」の画像であり、第二の潜像画線群（１０）は、ポジの状態で表して成る。第二の潜像画線群（１０）は、傾けた場合に観察者が視認する潜像画像となる画像であり、第二のカモフラージュ画線群（１１）は、正対した場合に第二の潜像画線群（１０）が可視化されるのを防ぎ、かつ、第二の潜像画線群（１０）を合成画像群（４）の中に隠蔽する働きを成す。
【００２８】
図３に、第一の画像（６）の詳細な画線構成図を示す。第一の画像（６）は、画線幅（Ｗ１）の第一の画線（１２）が、第一の方向に特定のピッチ（Ｐ１）で連続して複数配置されて成り、第一の画線（１２）における一部の位相が異なる（位相をずらす）ことによって、第一の有意情報であるアルファベットの「ＪＰＮ」の文字をポジ及びネガで表して成る第一のカモフラージュ画線群（８）と第一の潜像画線群（９）に区分けされている。
【００２９】
なお、本発明でいうポジとは有意情報自体が相対的に濃く、一方の有意情報の周囲は相対的に淡い状態を指し、本発明でいうネガとは、有意情報自体が相対的に淡く、一方の有意情報の周囲が相対的に濃い状態を指す。
【００３０】
第一の画線（１２）における位相のずれは、第一の画線（６）のピッチ（Ｐ１）の４分の１ピッチであることが最も望ましい。これは、後述する第一の有意情報であるアルファベット「ＪＰＮ」の文字の視認性を高く保つためである。
【００３１】
なお、前述したとおり、本実施の形態で説明する潜像印刷物（１）が有する第一の画像（６）は、第一の画線（１２）における一部の位相をずらすことで、第一のカモフラージュ画線群（８）と第一の潜像画線群（９）に区分けされていることから、当然、第一のカモフラージュ画線群（８）における第一の画線（９）と第一の潜像画線群（９）における第一の画線（９）の画線幅は同じである。
【００３２】
また、第一のカモフラージュ画線群（８）と第一の潜像画線群（９）は、それぞれポジ画像とネガ画像という濃淡が逆転した画像となっているために、それぞれが隣り合う領域において、図３の一部拡大図中の点線で示したＡ領域のように、対と成る画線の片方が面積率１００％で塗りつぶされていれば、隣り合うもう片方の画線の面積率は０％となり、仮に片方が面積率５０％で形成されていれば、隣り合うもう片方の面積率は５０％となり（図示せず）、片方が面積率３０％で形成されていれば、隣り合うもう片方の面積率は７０％となる（図示せず）。よって、所定の範囲内に占める第一のカモフラージュ画線群（８）と第一の潜像画線群（９）の合計の面積率は、いずれの場所においてもほぼ同じ値となる。このため、それぞれの画線群が第一の有意情報を含んで成るにも関わらず、第一の画像（６）自体は濃淡のない、一様な階調を有する画像として視認される。
【００３３】
なお、本明細書でいう「面積率」とは、所定の範囲内における画線が占める割合のことである。なお、本明細書でいう所定の範囲内とは、第一の方向には少なくとも１ピッチ以上の長さを有し、第一の方向と直交する方向には任意の長さを有する範囲を指すこととする。
【００３４】
図４に、第二の画像（７）の詳細な画線構成図を示す。第二の画像（７）は、画線幅（Ｗ２）の第二の画線（１４）が、第一の方向に特定のピッチ（Ｐ１）と同じピッチ（Ｐ２）で連続して複数配置されて成り、第二の画線（１４）における一部の位相が異なる（位相をずらす）ことによって、第二の有意情報である「桜」の画像をポジ及びネガで表して成る第二の潜像画線群（１０）と第二のカモフラージュ画線群（１１）に区分けされている。
【００３５】
第二の画線（１４）における位相のずれは、第二の画線（１４）のピッチ（Ｐ２）の４分の１ピッチであることが最も望ましい。これは、後述する第二の有意情報である「桜」の画像の視認性を高く保つためである。
【００３６】
なお、前述したとおり、本実施の形態で説明する潜像印刷物（１）が有する第二の画像（７）は、第二の画線（１４）における一部の位相をずらすことで、第二の潜像画線群（１０）と第二のカモフラージュ画線群（１１）に区分けされていることから、当然、第二の潜像画線群（１０）における第二の画線（１４）と第二のカモフラージュ画線群（１１）における第二の画線（１４）の画線幅は同じである。
【００３７】
なお、第一の画像（６）を形成している第一の画線（１２）の画線幅（Ｗ１）と、第二の画像（７）を形成している第二の画線（１４）の画線幅（Ｗ２）は、同じであっても異なっていても問題ない。また、第一の画線（１２）におけるピッチ（Ｐ１）と第二の画線（１４）におけるピッチ（Ｐ２）は、同じピッチである。
【００３８】
また、第一の画像（６）と同様、第二の潜像画線群（１０）と第一のカモフラージュ画線群（１１）は、それぞれポジ画像とネガ画像という濃淡が逆転した画像となっているために、それぞれが隣り合う領域において、図４の一部拡大図中の点線で示したＢ領域のように、対と成る画線の片方が面積率１００％で塗りつぶされていれば、隣り合うもう片方の画線の面積率は０％となり、仮に片方が面積率５０％で形成されていれば、隣り合うもう片方の面積率は５０％となり（図示せず）、片方が面積率３０％で形成されていれば、隣り合うもう片方の面積率は７０％となる（図示せず）。よって、所定の範囲内に占める第二の潜像画線群（１０）と第一のカモフラージュ画線群（１１）の合計の面積率は、いずれの場所においてもほぼ同じ値となる。このため、それぞれの画線群が第二の有意情報を含んで成るにも関わらず、第二の画像（７）自体は濃淡のない、一様な階調を有する画像として視認される。
【００３９】
図５に、第一の画像（６）及び第二の画像（７）から成る合成画像群（４）の詳細な画線構成を示す。第一のカモフラージュ画線群（８）を形成している第一の画線（１２）、第一の潜像画線群（９）を形成している第一の画線（１２）、第二の潜像画線群（１０）を形成している第二の画線（１４）、第二のカモフラージュ画線群（１１）を形成している第二の画線（１４）は、規則的に交互に配置されて成り、第一の方向に位相がずれて互いに重なり合うことはない。本実施の形態において第一のカモフラージュ画線群（８）及び第一の潜像画線群（９）を形成している第一の画線（１２）と、第二の潜像画線群（１０）及び第二のカモフラージュ画線群（１１）を形成している第二の画線（１４）は、ピッチの４分の１だけ第一の方向に位相がずれて成る。
【００４０】
ただし、本実施の形態においては、Ｗ１とＷ２が同じであって、第一のカモフラージュ画線群（８）を形成している第一の画線（１２）の画線幅（Ｗ１）と第一の潜像画線群（９）を形成している第一の画線（１２）の画線幅（Ｗ１）の和及び、第二の潜像画線群（１０）を形成している第二の画線（１４）の画線幅（Ｗ２）と第二のカモフラージュ画線群（１１）を形成している第二の画線（１４）の画線幅（Ｗ２）の和がピッチ（Ｐ１）の４分の１の大きさに当たるが、これに限定するものではなく、第一のカモフラージュ画線群（８）を形成している第一の画線（１２）の画線幅（Ｗ１）＋第一の潜像画線群（９）を形成している第一の画線（１２）の画線幅（Ｗ１）＋第二の潜像画線群（１０）を形成している第二の画線（１４）の画線幅（Ｗ２）＋第二のカモフラージュ画線群（１１）を形成している第二の画線（１４）の画線幅（Ｗ２）の値が、ピッチ（Ｐ１、Ｐ２）以下の値をとればよい。
【００４１】
また、図５の一部拡大図中の点線で示したＣ領域のように、所定の範囲内に占める第一のカモフラージュ画線群（８）、第一の潜像画線群（９）、第二の潜像画線群（１０）と第二のカモフラージュ画線群（１１）の合計の面積率は、いずれの場所においてもほぼ同じ値となる。ただし、本実施の形態においては、この同じ値を１００％で説明したが、１００％に限定するものではなく、例えば、８０％の場合は、同一ピッチ内で隣り合った潜像要素（８）の面積率とカモフラージュ要素（９）の面積率の和は、いずれの場所においてもほぼ８０％となることが望ましい、ということになる。
【００４２】
このように、所定の範囲内における第一のカモフラージュ画線群（８）、第一の潜像画線群（９）、第二の潜像画線群（１０）及び第二のカモフラージュ画線群（１１）の合計の面積率を、いずれの場所においてもほぼ同じ値とすることで、第一の画像（６）と第二の画像（７）の合成画像である合成画像群（４）も、二つの異なる有意情報を含んで成るにも関わらず、濃淡のない一様な階調を有する画像として視認される。
【００４３】
以上のような構成の合成画像群（４）は、基材（２）と異なる色を有するインキを用いて形成される。色はいかなる色でも良く、通常の着色インキを用いる他に、金や銀のようなメタリック系インキを用いたり、高光沢なグロス系インキを用いたりして形成してもよい。
【００４４】
第一の画像（６）と第二の画像（７）は、同じ色彩で構成しても良いし、異なる色彩で構成しても良い。同じ色彩で構成した場合には製造が容易である一方、傾けた場合に出現する第一の潜像画線群（９）と第二の潜像画線群（１０）とが同じ色彩での表現に限定される。
【００４５】
逆に、異なる色彩で構成した場合には、刷色数が増え、各色間で一定の刷合わせ精度が必要となる一方で、傾けた場合に出現する第一の潜像画線群（９）と第二の潜像画線群（１０）とが異なる色彩となり、色彩豊かな表現が可能となるため、それぞれ重視する目的に応じた使い分けをすることが望ましい。
【００４６】
また、第一の画像（６）と第二の画像（７）を異なる色彩で構成した場合、第一の画像（６）に含まれる第一の潜像画線群（９）と第一のカモフラージュ画線群（１０）とを異なる色彩としてはならない。また、同様に第二の画像（７）に含まれる第二の潜像画線群（１１）と第二のカモフラージュ画線群（１２）とを異なる色彩としてはならない。これはそれぞれの有意情報が可視化されることを防ぐためである。
【００４７】
合成画像群（４）を印刷する場合の印刷方式は、オフセット印刷、凸版印刷、フレキソ印刷、グラビア印刷、凹版印刷等、如何なる方式を用いても良い。またインキジェットプリンターやレーザプリンター等のデジタル印刷機器を用いて形成しても何ら問題はない。また、レーザーマーカーや各種切削機械等を用いて基材表面を焦がしたり、切削したりすることで濃淡を表現し、合成画像群（４）を形成してもよい。
【００４８】
図６に、凸画線群（５）の詳細な画線構成図を示す。凸画線群（５）は、特定のピッチ（Ｐ１）で第一の方向に連続して配置された盛り上がりを有する幅（Ｗ３）の複数の凸画線（１６）から成り、かつ、凸画線（１６）と凸画線（１６）の間には、幅（Ｗ４）の非画線部（１７）を有する。この凸画線（１６）と非画線部（１７）は、傾けた場合に、二つの潜像画線群（９、１０）のうちのいずれか一つの潜像画線群と二つのカモフラージュ画線群（８、１１）を隠蔽して、残った一つの潜像要素群のみを出現させるために機能するが、これらの具体的な機能については後述する。
【００４９】
凸画線群（５）は盛り上がりを有し、かつ、透明あるいは半透明である必要がある。また、本発明の効果を高める上で、屈折率の高い材質であることが望ましい。この理由については後述する。
【００５０】
形成方法は、凹版印刷やスクリーン印刷等の盛り上がりを形成できる印刷方式を用いて印刷で形成すればよい。盛り上がり高さは、ピッチにもよるが５μｍ以上１ｍｍ以下であることが好ましく、また、１５μｍ以上１００μｍ以下であることが第一の有意情報及び第二の有意情報の視認性や流通適性を高く保つためにより望ましい。
【００５１】
図７に、潜像印刷物（１）を形成するための合成画像群（４）と凸画線群（５）の重ね合わせ順を示す。まず、基材（２）に合成画像群（４）を印刷し、凸画線群（５）をその上に重ね合わせて形成する。
【００５２】
図８に、本実施の形態における合成画像群（４）と凸画線群（５）の重なり合いの詳細な位置関係を示す。図８（ｂ）には、印刷画像（３）の一部を正面から見た拡大図の概要図を示し、図８（ｃ）に、図８（ｂ）で示した印刷画像（３）をＡ−Ａ´ラインでカットした断面図を示す。
【００５３】
各画線同士の最も望ましい重なり合いの位置関係とは、図８（ｂ）に示すような、凸画線（１６）の画線幅の中に第一のカモフラージュ画線群（８）を構成する第一の画線（１２）と第二のカモフラージュ画線群（１１）を構成する第二の画線（１４）が完全に含まれ、第一の潜像画線群（９）を構成する第一の画線（１２）と第二の潜像画線群（１０）を構成する第二の画線（１４）が、凸画線（１６）と非画線部（１７）を跨って形成されて成る位置関係である。本発明の効果が発揮しうる画線の位置の範囲については後述する。以上のような構成によって、本発明の潜像印刷物（１）が形成されて成る。
【００５４】
図９、図１０及び図１１に、潜像印刷物（１）の効果、すなわち、観察角度を変えて観察した場合に視認される画像を示す。図９に示すように、潜像印刷物（１）に正対した視点（１８ａ）から潜像印刷物（１）を観察した場合には、濃淡のない一様な階調を有する合成画像群（４）が観察され、第一の有意情報及び第二の有意情報は不可視である。
【００５５】
一方、図１０（ａ） に示すように、潜像印刷物（１）を傾けてＡ辺側から第一の方向に向かって観察した場合には、凸画線（１６）下にある第一のカモフラージュ画線群（８）を形成している第一の画線（１２）及び第二のカモフラージュ画線群（１１）を形成している第二の画線（１４）と、一つの凸画線（１６）におけるＡ´辺側の端と非画線部（１７）を跨いで形成された第二の潜像画線群（１０）を形成している第二の画線（１４）は不可視となり、一つの凸画線（１６）におけるＡ辺側の端と非画線部（１７）を跨いで形成された第一の潜像画線群（９）を形成している第一の画線（１２）のみが観察される。よって、観察者からは第一の潜像画線群（９）によって表された第一の有意情報である「ＪＰＮ」の文字をネガで表した画像のみが視認される。
【００５６】
また、図１１（ａ） に示すように、潜像印刷物（１）を傾けてＡ´辺側から第二の方向に向かって観察した場合には、凸画線（１６）下にある第一のカモフラージュ画線群（８）を形成している第一の画線（１２）及び第二のカモフラージュ画線群（１１）を形成している第二の画線（１４）と、一つの凸画線（１６）におけるＡ辺側の端と非画線部（１７）を跨いで形成された第一の潜像画線群（９）を形成している第一の画線（１２）は不可視となり、一つの凸画線（１６）におけるＡ´辺側の端と非画線部（１７）を跨いで形成された第二の潜像画線群（１０）を形成している第二の画線（１４）のみが観察される。よって、観察者からは第二の潜像画線群（１０）によって表された第二の有意情報である「桜」の画像をポジで表した画像のみが視認される。
【００５７】
続いて、以上で説明したように観察方向に応じて視認できる画像が変化する原理を説明する。まず、正対して観察した場合、凸画線（１６）は透明あるいは半透明であって光を透過する性質を備えることから、凸画線（１６）の下に存在する第一の潜像画線群（９）を形成している第一の画線（１２）、第一のカモフラージュ画線群（８）を形成している第一の画線（１２）、第二の潜像画線群（１０）を形成している第二の画線（１４）及び第二のカモフラージュ画線群（１１）を形成している第二の画線（１４）のすべてが観察されるため、第一の有意情報も第二の有意情報も不可視であり、図９に示したように、濃淡のない一様な階調の合成画像群（４）が視認される。
【００５８】
しかし、図１２（ａ）から図１２（ｂ）、図１２（ｃ）の順に、観察者の視点の高さが潜像印刷物（１）に近づけば近づくほど、すなわち、潜像印刷物（１）を深く傾ければ傾けるほど、凸画線（１６）下に存在する領域のうち、観察者の視点から見えなくなる領域が徐々に拡大（図中Ｉａ→Ｉｂ→Ｉｄ及びＩｅ）する。これは、凸画線（１６）へ入射する光の入射角度が大きくなることから凸画線（１０）内部に入射できる光が減り、凸画線（１６）表面で反射される光の割合が相対的に増えるためである。
【００５９】
よって、傾けられた角度が大きくなるほど、凸画線（１０）の透明性は低下し、不透明に変化し、凸画線（１６）の下に存在する画像が見えなくなる。なお、凸画線（１０）の屈折率が高い場合にはこの傾向が特に顕著である。このように、凸画線（１０）が不透明に変化することによって、凸画線（１６）の下に存在する画像が見えなくなるとともに、加えて観察者から見て凸画線（１６）の向こう側に存在する領域も、凸画線（１６）の盛り上がりによって物理的に遮蔽されて見えなくなる。
【００６０】
このように、不透明と化した凸画線（１６）によって凸画線（１６）の下に存在する画像のほとんどは不可視となるが、一部に不可視とならない領域（Ｉｃ）が存在する。この不可視とならない領域（Ｉｃ）は、凸画線（１６）の下に存在する合成画像群（４）の中の凸画線（１６）の両端のうち、観察者に近い側の端の近傍がそれに当たる。それぞれの凸画線（１６）において、観察者に近い斜面は、印刷物と垂直に近い角度を成して盛り上がっていることから、凸画線（１６）のその他の表面と比べて入射する光の角度が相対的に小さくなるため透明性が大きく低下することはなく、低下してもその割合は他の領域と比較して小さくなる。
【００６１】
よって、それぞれの凸画線（１６）の下に存在する合成画像群（４）の各画線のうち、不可視とならない領域（Ｉｃ）に存在する画線のみが観察者には観察される。なお、第一の方向とは逆の第二の方向から観察した場合には、凸画線（１６）のもう片方の端の近傍が不可視とならない領域（Ｉｃ）となる。
【００６２】
以上の原理によって、傾けて第一の方向から観察した場合には、不可視とならない領域（Ｉｃ）に存在する画線、すなわち、本実施の形態においては第一の潜像画線群（９）を形成している第一の画線（１２）のみが視認され、結果として第一の潜像画線群（９）のみが視認される。
【００６３】
一方、傾けて第二の方向から観察した場合には、不可視とならない領域（Ｉｃ）が凸画線（１６）中心をはさんで反転することから、第二の潜像画線群（１０）を形成している第二の画線（１４）のみが視認され、結果として第二の潜像画線群（１０）のみが視認される。このような原理によって、第一の方向から観察した場合には、第一の有意情報が視認され、第二の方向から観察した場合には、第二の有意情報が視認される、いわゆる画像のチェンジ効果が生じる。
【００６４】
以上に述べた原理によって、図１３に示すように、潜像印刷物（１）に正対した視点（１８ａ）から潜像印刷物（１）を観察した場合には、図１３（ｂ）に示す濃淡のない一様な階調を有する合成画像群（４）が観察され、潜像印刷物（１）を傾けて第一の方向から観察した場合には、図１３（ｃ）に示す第一の潜像画線群（９）、すなわち第一の有意情報が視認され、潜像印刷物（１）を傾けて第二の方向から観察した場合には、図１３（ｄ）に示す第二の潜像画線群（１０）、すなわち第二の有意情報が視認され、観察角度に応じてそれぞれ異なる画像が視認できる効果が生じる。
【００６５】
このように、本発明の効果を奏するためには、第一の潜像画線群（９）を形成している第一の画線（１２）、第一のカモフラージュ画線群（８）を形成している第一の画線（１２）、第二の潜像画線群（１０）を形成している第二の画線（１４）及び第二のカモフラージュ画線群（１１）を形成している第二の画線（１４）が、一つの凸画線（１６）に対して、重なる部分を有している構成とすることが必要である。
【００６６】
さらに詳細には、第一のカモフラージュ画線群（８）を構成する第一の画線（１２）と、第二のカモフラージュ画線群（１１）を構成する第二の画線（１４）は、凸画線（１６）と完全に重なり合い、第一の潜像画線群（９）を構成する第一の画線（１２）は、凸画線（１６）の一辺と非画線部（１７）に跨り、第二の潜像画線群（１０）を構成する第二の画線（１４）は、凸画線（１６）の他辺と非画線部（１７）に跨って形成されることが必要である。
【００６７】
しかし、盛り上がりのある凸画線（１６）と、合成画像群（４）を印刷、加工する方式は異なる方式が用いられる場合が多いと考えられ、そのように印刷方法が異なる画線同士の刷り合わせを厳密に一致させることは現時点では容易ではなく、設計段階で意図していた画線構成と、実際の製造における画線構成において、二つの画線の刷り合わせのズレをゼロとすることは難しい。
【００６８】
ただし、その構成の中でも、傾けた場合に出現する画像となる、第一の潜像画線群（９）を形成している第一の画線（１２）及び第二の潜像画線群（１０）を形成している第二の画線（１４）を形成できる最も望ましい範囲について、図１４を用いて説明する。
【００６９】
第一の潜像画線群（９）を形成している第一の画線（１２）は、凸画線（１６）のＡ辺よりの端近傍（１９ａ）に示した領域に形成した場合に、これまで説明してきたような本発明の効果を得ることができる。
【００７０】
具体的には、各凸画線（１６）のＡ辺よりの端から凸画線（１６）の幅の３分の１まで凸画線（１６）の内側に入った領域と、各凸画線（１６）のＡ辺よりの端から非画線部（１７）側の非画線部（１７）の幅（Ｗ４）の３分の１までにわたる領域とからなる。
【００７１】
このうち、より重要なのは、各凸画線（１６）のＡ辺よりの端から凸画線（１６）の幅の３分の１まで凸画線（１６）の内側に入った領域である。この理由は、各凸画線（１６）のＡ辺よりの端から非画線部（１７）側の非画線部（１７）の幅（Ｗ４）の３分の１までにわたる領域は、凸画線（１６）の盛り上がり高さの影響を強く受け、盛り上がり高さが変化することでその領域が狭くなったり、広くなったりする傾向にあるが、各凸画線（１６）のＡ辺よりの端から凸画線（１６）の幅の３分の１まで凸画線（１６）の内側に入った領域については、凸画線（１６）の盛り上がり高さの影響を比較的受けづらいためである。
【００７２】
一方、第二の潜像画線群（１０）を形成している第二の画線（１４）は、各凸画線（１６）のＡ´辺よりの端近傍（１９ｂ）に示した領域に形成した場合に、これまで説明してきたような本発明の効果を得ることができる。具体的には、各凸画線（１６）のＡ´辺よりの端から凸画線（１６）の幅の３分の１まで凸画線（１６）の内側に入った領域と、各凸画線（１６）のＡ´辺よりの端から非画線部（１７）側の非画線部（１７）の幅（Ｗ４）の３分の１までにわたる領域とからなる。
【００７３】
このうち、より重要なのは、各凸画線（１６）のＡ´辺よりの端から凸画線（１６）の幅の３分の１まで凸画線（１６）の内側に入った領域である。理由は（１９ａ）の領域と同じである。逆に、第一のカモフラージュ画線群（８）を形成している第一の画線（１２）と第二のカモフラージュ画線群（１１）を形成している第二の画線（１４）は、１９ａ及び１９ｂに示した領域以外に形成される。
【００７４】
前述したとおり、画線同士の刷り合わせのズレをゼロとすることは難しく、設計段階でこのような最も望ましい要素同士の重なり合いの位置関係で構成することを意図していても、本来、潜像画線（１３、１４）が入るはずの１９ａ及び１９ｂに示した領域にカモフラージュ画線（１２、１５）が含まれてしまう場合がある。
【００７５】
しかし、このような場合でも、１９ａ及び１９ｂに示した領域において含まれる潜像画線（１３、１４）の割合が、カモフラージュ画線（１２、１５）の割合よりも多ければ、視認性は低下するものの、第一の有意画像及び第二の有意画像は可視化される効果を得ることができることから、本発明の範囲に含まれることとする。いずれにおいても、印刷時における刷り合わせのズレは誤差の範囲であり、全ての発明の技術的範囲である。
【００７６】
なお、１９ａや１９ｂに示した領域は、傾け角度が大きく（９０度近く）なり過ぎたり、凸画線（１６）の盛り上がり高さが高くなり過ぎると、当然のことながら小さくなったり、極端な場合には無くなってしまう。潜像印刷物（１）を構成する材料や画線構成等を変える場合には、その都度効果が発現しているかを確認する必要がある。
【００７７】
先に述べたが、本発明の潜像印刷物（１）の凸画線（１６）は、光の屈折率が高いことが望ましい。屈性率が高い凸画線（１６）を用いた方が、傾けた場合の各画線の隠蔽効果が高まり、第一の潜像画線群（９）あるいは第二の潜像画線群（１０）の視認性が相対的に向上するためである。
【００７８】
このような高屈折率を有する特性を凸画線（１６）に付与する方法の一例としては、光の屈折率の高い顔料をインキ中に分散させ、凸画線（１６）をＵＶ乾燥方式のスクリーン印刷によって形成することが容易である。ＵＶ乾燥方式のスクリーン印刷は、１０μｍを超える盛り上がりのある画線を容易に形成でき、かつ、粒径が大きな顔料も使用できることから、本発明の凸画線（１６）の望ましい形成方法の一つであるといえる。
【００７９】
ただし、光の屈折率の高い顔料は透明あるいは半透明である必要があり、このような特性を満たす顔料としては虹彩色パール顔料がある。虹彩色パール顔料を用いてスクリーン印刷で凸画線（１６）を形成する場合、凸画線（１６）の表面の光の屈折率が高いことが重要であることから、盛り上がりのある画線内部ではなく、盛り上がりのある画線表面に虹彩色パール顔料が向きを揃えて配向きする、いわゆるリーフィングした状態であることが最も望ましい。
【００８０】
このような効果を得る方法の一つとして、例えば、特開２００１−１０６９３７号公報に記載の技術のように記載の撥水撥油処理を施した顔料を用いる方法があり、このような処理を施した顔料を用いて凸画線（１６）を形成した場合には、傾けた場合に視認される各潜像画線群（９、１０）の視認性を高めることができる。
【００８１】
なお、本明細書中でいう、「正対して観察する」とは、観察者の視点が潜像印刷物の印刷面と直角（０°とする）か、それに近い角度を成して潜像印刷物を観察する状態を指し、「傾けて観察する」とは潜像印刷物の印刷面から少なくとも４５°以上９０°未満の角度を成して潜像印刷物を観察する状態を指すこととする。
【００８２】
すべての画線群の構成に共通するピッチ（Ｐ１）について、狭く設計した場合には、各潜像画線群（９、１０）が可視化される傾け角度を小さくできるが、刷り合わせの難易度が上がり、かつ、各要素の再現性が低下する傾向にある。逆に、広く設計した場合には、各潜像画線群（９、１０）が可視化される傾け角度が大きくなってしまう反面、刷り合わせの難易度が下がり、かつ、各要素の再現性も安定する。これらを考慮すると、ピッチ（Ｐ１）は、０．１ｍｍから２ｍｍ程度の範囲で構成することが望ましい。
【００８３】
なお、本明細書で言う「画線」とは、印刷画像を形成する最小単位である印刷網点を特定の方向に連続して一定の距離配置したものであり、点線や破線の分断線、直線、曲線及び波線を言う。
【００８４】
以下、前述の発明を実施するための形態にしたがって、具体的に作製した潜像印刷物の実施例について詳細に説明するが、本発明は、この実施例に限定されるものではない。
【実施例１】
【００８５】
実施例１について、図１５から図２３を用いて説明する。実施例１は、合成画像群（４−１）をオフセット印刷で印刷して潜像印刷物（１−１）を形成し、凸画線群（５−１）をスクリーン印刷で形成した例であって、第一の画像（６−１）及び第二の画像（７−１）のいずれも同じインキで一度に形成した例である。
【００８６】
図１５は、本発明の潜像印刷物（１−１）を示す図であり、基材（２−１）上に青色の印刷画像（３−１）を備えて成る。基材は、一般的なコート紙（日本製紙製）を用いた。
【００８７】
図１６に、印刷画像（３−１）を構成する各画像要素の概念図を示す。基本的な構成は実施の形態で説明したものと同じであり、合成画像群（４−１）と凸画線群（５−１）とが積層されて成り、合成画像群（４−１）は、目視上、濃淡のない一様な階調で形成されており、第一の画像（６）と第二の画像（７）を有している。第一の画像（６）と、第二の画像（７）とは、ともに濃淡のない一様な階調で形成されて成る。
【００８８】
第一の画像（６−１）は、第一の有意情報を表した第一の潜像画線群（９−１）と、第一の潜像画線群（９−１）と対を成し、第一の潜像画線群（９−１）のネガポジを反転させた構成の第一のカモフラージュ画線群（８−１）とを有する。本実施１における第一の潜像画線群（９−１）が表す第一の有意情報はアルファベットの「ＪＰＮ」の文字であり、第一の潜像画線群（９−１）は、これをネガの状態で表して成る。
【００８９】
第二の画像（７−１）は、第二の有意情報を表した第二の潜像画線群（１０−１）と、第一の潜像画線群（１０−１）と対を成し、第二の潜像画線群（１０−１）のネガポジを反転させた構成の第二のカモフラージュ画線群（１１−１）とを有する。本実施の形態における第二の潜像画線群（１０−１）が表す第二の有意情報は「桜」の画像であり、第二の潜像画線群（１０−１）は、これをポジの状態で表して成る。
【００９０】
図１７に、第一の画像（６−１）の詳細な画線構成図を示す。第一の画像（６−１）は、画線幅０．７５ｍｍの第一の画線（１２−１）が、第一の方向に０．３ｍｍピッチで連続して複数配置されて成り、第一の画線（１２−１）における一部の位相が異なる（位相をずらす）ことによって、第一の有意情報であるアルファベットの「ＪＰＮ」の文字をポジ及びネガで表して成る第一のカモフラージュ画線群（８−１）と第一の潜像画線群（９−１）に区分けされている。
【００９１】
図１８に、第二の画像（７−１）の詳細な画線構成図を示す。第二の画像（７−１）は、画線幅０．７５ｍｍの第二の画線（１４−１）が、第一の方向に０．３ｍｍピッチで連続して複数配置されて成り、第二の画線（１４−１）における一部の位相が異なる（位相をずらす）ことによって、第二の有意情報である「桜」の画像をポジ及びネガで表して成る第二の潜像画線群（１０−１）と第二のカモフラージュ画線群（１１−１）に区分けされている。
【００９２】
図１９に、第一の画像（６−１）及び第二の画像（７−１）から成る合成画像群（４−１）の詳細な画線構成を示す。第一の潜像画線群（９−１）を形成している第一の画線（１２−１）、第一のカモフラージュ画線群（８−１）を形成している第一の画線（１２−１）、第二の潜像画線群（１０−１）を形成している第二の画線（１４−１）、第二のカモフラージュ画線群（１１−１）を形成している第二の画線（１４−１）は、規則的に交互に配置されて成り、第一の方向に位相がずれて互いに重なり合うことはない。
【００９３】
以上のような構成の合成画像群（４−１）を青色のオフセットインキ（ＤａｉＣｕｒｅ  アビリオ  プロセス  藍Ｎ）を用いてオフセット印刷方式で印刷した。
【００９４】
図２０に、凸画線群（５−１）の詳細な画線構成図を示す。凸画線群（５−１）は、ピッチ０．３ｍｍで第一の方向に連続して配置された幅０．２ｍｍの凸画線（１６−１）を有し、かつ、凸画線（１６−１）と凸画線（１６−１）の間に幅０．１ｍｍの非画線部（１７−１）を有する。以上の構成の凸画線群（５−１）をＵＶ乾燥方式のスクリーン印刷で表１に示すインキを用い、図２１に示すように、合成画像群（４−１）の上に重ね合わせて印刷した。なお、凸画線（１６−１）の盛り上がり高さは、２０μｍであった。
【００９５】
【表１】
0005885164.tif 000002
【００９６】
表１に示したスクリーンインキは、光が入射することで金色の干渉色を発する虹彩色パール顔料を含んでおり、本インキで形成した画線は、正反射光が生じない状態では無色透明であって、正反射光が生じた状態では金色の干渉色を発する凸画線（１６−１）となる。
【００９７】
なお、本インキに混合した虹彩色パール顔料は顔料表面に撥水及ぶ撥油性を付与し、盛り上がりのある画線表面に配向する特性を有している。このような特別な顔料を配合する理由は、一般的に考えられる虹彩色パール顔料を用いる場合のように正反射光下で美しいパールの干渉色を得るためではなく、凸画線（１６−１）表面の光の屈折率を高め、凸画線（１６−１）の下に存在する２つのカモフラージュ画線群と１つの潜像画線群の隠蔽性を高めるためである。
【００９８】
図２２に、合成画像群（４−１）を構成している画線と、凸画線（１６−１）との重なり合いに位置関係を示す。凸画線（１６−１）におけるＡ辺側には、第一の潜像画線群（９−１）を形成している第一の画線（１２−１）が位置する。具体的には、凸画線（１６−１）と非画線部（１７−１）を跨ぐように、非画線部（１７−１）に０．２５ｍｍ、凸画線（１６−１）に０．５ｍｍだけ画線が重なる位置に形成される。
【００９９】
一方、凸画線（１６−１）のＡ´辺側には、第二の潜像画線群（１０−１）を形成している第二の画線（１４−１）が位置する。具体的には、凸画線（１６−１）と非画線部（１７−１）を跨ぐように、非画線部（１７−１）に０．２５ｍｍ、凸画線（１６−１）に０．５ｍｍだけ画線が重なる位置に形成される。
【０１００】
第一のカモフラージュ画線群（８−１）を形成している第一の画線（１２−１）と、第二のカモフラージュ画線群（１１−１）を形成している第二の画線（１４−１）は、それぞれの凸画線（１６−１）の端から凸画線（１６−１）中心側へ０．５ｍｍ以上凸画線（１６−１）の内側に入った凸画線（１６−１）下に形成される。
【０１０１】
図２３に、以上の手順で作製した実施例１の潜像印刷物（１−１）の効果を示す。図２３（ａ）に示す視点（１８ａ−１）のように、潜像印刷物（１−１）に正対した視点（１８ａ−１）から潜像印刷物（１−１）を観察した場合には、青色の合成画像群（４−１）が観察され、第一の有意画像及び第二の有意画像は不可視であった。
【０１０２】
一方、図２３（ａ）に示すように、潜像印刷物（１−１）を傾けて視点（１８ｂ−１）から第一の方向に観察した場合には、図２３（ｂ）に示すように、アルファベットの「ＪＰＮ」の文字である第一の有意情報をネガで表した第一の潜像画線群（９−１）が青色で視認され、図２３（ａ）に示すように、潜像印刷物（１−１）を傾けて視点（１８ｃ−１）から第二の方向に観察した場合には、図２３（ｃ）に示すように、「桜」の画像である第二の有意情報をポジで表した第二の潜像画線群（１０−１）が青色で視認された。以上のように、傾けた場合に観察する方向に応じて異なる画像が視認できることが確認できた。
【実施例２】
【０１０３】
実施例２について、以下に説明する。実施例２は、実施例１と同様の画線構成で潜像印刷物（１−１）を形成した例であるが、第一の画像（６−１）及び第二の画像（７−１）を異なる色相のインキで形成した例である。第一の画像（６−１）及び第二の画像（７−１）に異なる色相のインキを使用した以外は、実施例１と全く同じであるため、基材や画像の構成や寸法の説明は省略する。
【０１０４】
本実施例２においては、第一の画像（６−１）を青色の第一のインキ（ＤａｉＣｕｒｅ  アビリオ  プロセス  藍Ｎ）で、第二の画像（７−１）を赤色の第二のインキ（ＤａｉＣｕｒｅ  アビリオ  プロセス  紅）で印刷した。
【０１０５】
その場合、図２３（ａ）に示すように、潜像印刷物（１−１）に正対した視点（１８ａ−１）から潜像印刷物（１−１）を観察した場合には、灰色の合成画像群（４−１）が観察され、第一の有意画像及び第二の有意画像は不可視であった。一方、潜像印刷物（１−１）を傾けて視点（１８ｂ−１）から第一の方向に観察した場合には、図２３（ｃ）に示すように、アルファベットの「ＪＰＮ」の文字である第一の有意情報をネガで表した第一の潜像画線群（９−１）が青色で視認され、潜像印刷物（１−１）を傾けて視点（１８ｃ−１）から第二の方向に観察した場合には、図２３（ｄ）に示すように、「桜」の画像である第二の有意情報をポジで表した第二の潜像画線群（１０−１）が赤色で視認された。以上のように、傾けた場合に観察する方向に応じて異なる画像が視認できるだけでなく、色相も変化することが確認できた。
【符号の説明】
【０１０６】
１、１−１  潜像印刷物
２、２−１  基材
３、３−１  印刷画像
４、４−１  合成画像群
５、５−１  凸画線群
６、６−１  第一の画像
７、７−１  第二の画像
８、８−１  第一のカモフラージュ画線群
９、９−１  第一の潜像画線群
１０、１０−１  第二の潜像画線群
１１、１１−１  第二のカモフラージュ画線群
１２、１２−１  第一の画線
１４、１４−１  第二の画線
１６、１６−１  凸画線
１７、１７−１  非画線部
１８a、１８b、１８ｃ、１８ｄ、１８e、１８ｆ、１８a−１、１８b−１、１８ｃ−１  観察者の視点
１９ａ  不可視にならない領域のうち、第一の潜像画線を形成できる領域
１９ｂ  不可視にならない領域のうち、第二の潜像画線を形成できる領域
２０  従来の技術で形成した潜像印刷物
【図１】
0005885164.tif 000003
【図２】
0005885164.tif 000004
【図３】
0005885164.tif 000005
【図４】
0005885164.tif 000006
【図５】
0005885164.tif 000007
【図６】
0005885164.tif 000008
【図７】
0005885164.tif 000009
【図８】
0005885164.tif 000010
【図９】
0005885164.tif 000011
【図１０】
0005885164.tif 000012
【図１１】
0005885164.tif 000013
【図１２】
0005885164.tif 000014
【図１３】
0005885164.tif 000015
【図１４】
0005885164.tif 000016
【図１５】
0005885164.tif 000017
【図１６】
0005885164.tif 000018
【図１７】
0005885164.tif 000019
【図１８】
0005885164.tif 000020
【図１９】
0005885164.tif 000021
【図２０】
0005885164.tif 000022
【図２１】
0005885164.tif 000023
【図２２】
0005885164.tif 000024
【図２３】
0005885164.tif 000025
【図２４】
0005885164.tif 000026